(57)【要約】      （修正有）【課題】パンチングフィルターへ容易に交換する。【解決手段】バッフルフィルター１にフランジを設け、フランジをレンジフード本体２のパンチングフィルターがガタつきなく取り付くバッフルフィルター１の保持部１０へ挿入することで、レンジフード本体２へ着脱可能としたという構成により、レンジフード本体２の保持部１０は同じ構造のままで、バッフルフィルター１よりも安価に製作可能なパンチングフィルターへ容易に交換することができるレンジフード用バッフルフィルターを得られる。【選択図】図１
2014163545.tif 000002
【特許請求の範囲】
【請求項１】
レンジフード本体の吸込口の近傍に装着され、二枚の多孔板がそれぞれの開孔を重なり合わないようにして所定間隔隔てて配されるバッフルフィルターであり、上記バッフルフィルターの対面する二辺にフランジを設け、上記レンジフード本体にパンチングフィルターがガタつきなく取り付く上記バッフルフィルターの保持部を設け、上記フランジを上記保持部へ挿入することで上記レンジフード本体へ着脱可能としたことを特徴とするレンジフード用バッフルフィルター。
【請求項２】
バッフルフィルターをレンジフード本体に斜めに取り付け、フランジに油の誘導穴を設け、油の上記誘導穴の下方に油を回収するオイルキャッチを設けたことを特徴とする請求項１に記載のレンジフード用バッフルフィルター。
【請求項３】
バッフルフィルターを構成している二枚の多孔板の一方に固定用のツマミネジを設け、もう一方に固定用のダルマ穴を設けたことで二枚の上記多孔板同士を固定することを特徴とする請求項１に記載のレンジフード用バッフルフィルター。
【発明の詳細な説明】
【技術分野】
【０００１】
本発明は、ガスコンロ、電磁調理器等の厨房器具の上方に設けられ、調理時に発生する煙や熱気等を収集して屋外に排出するレンジフードに使用されるレンジフード用のバッフルフィルターに関するものである。
【背景技術】
【０００２】
従来、この種のレンジフード用バッフルフィルターは、二枚の多孔板がそれぞれの開孔が重なり合わないようにして所定間隔隔てて配されたものが知られている（例えば、特許文献１参照）。
【０００３】
以下、そのレンジフード用バッフルフィルターについて図４、５を参照しながら説明する。
【０００４】
図５に示すように、レンジフード本体１０１の吸気口１０２の近傍に装着されるフィルター１０３であって、図４に示すように、二枚の多孔板１０４、１０５が、それぞれの開孔１０６、１０７を重なり合わないようにして所定間隔隔てて配されることで外側の多孔板１０４の開孔１０６を通過する際に風速が加速された煙や熱気等が内側の多孔板１０５の室内側表面１０８に衝突し、その際に、煙や熱気等に含まれる油や埃等が内側の多孔板１０５の室内側表面１０８に蓄積除去されるものが知られていた。
【先行技術文献】
【特許文献】
【０００５】
【特許文献１】特許第３１３４６１２号公報
【発明の概要】
【発明が解決しようとする課題】
【０００６】
このような従来のレンジフード用フィルターにおいては、二枚の多孔板を重ね合わせた従来のバッフルフィルターの場合、二枚を重ねる構造であるため厚みが大きくなり、専用の取り付け構造を有する必要があるため、部品交換や機種ラインナップの拡充の目的でより低コストなパンチングフィルターへ容易に交換することができないという課題を有していた。
【０００７】
そこで本発明は、上記従来の課題を解決するものであり、パンチングフィルターへ容易に交換することができるレンジフード用バッフルフィルターを提供することを目的とする。
【課題を解決するための手段】
【０００８】
そして、この目的を達成するために、本発明は、レンジフード本体の吸込口の近傍に装着され、二枚の多孔板がそれぞれの開孔を重なり合わないようにして所定間隔隔てて配されるバッフルフィルターであり、上記バッフルフィルターの対面する二辺にフランジを設け、上記レンジフード本体にパンチングフィルターがガタつきなく取り付く上記バッフルフィルターの保持部を設け、上記フランジを上記保持部へ挿入することで上記レンジフード本体へ着脱可能としたとしたものであり、これにより所期の目的を達成するものである。
【発明の効果】
【０００９】
本発明によれば、レンジフード本体の吸込口の近傍に装着され、二枚の多孔板がそれぞれの開孔を重なり合わないようにして所定間隔隔てて配されるバッフルフィルターであり、上記バッフルフィルターの対面する二辺にフランジを設け、上記レンジフード本体にパンチングフィルターがガタつきなく取り付く上記バッフルフィルターの保持部を設け、上記フランジを上記保持部へ挿入することで上記レンジフード本体へ着脱可能とした、という構成にしたことによりレンジフード本体の保持部にフランジが係合しバッフルフィルターが固定されることとなるので、レンジフード本体の保持部は同じ構造のままで、バッフルフィルターよりも安価に製作可能なパンチングフィルターへ容易に交換することができる、という効果を得ることができる。
【図面の簡単な説明】
【００１０】
【図１】本発明の実施の形態１のレンジフード用バッフルフィルターを取り付けた状態を示す側構成図
【図２】同レンジフード用バッフルフィルターを示す斜視図
【図３】同レンジフード用バッフルフィルターと交換するパンチングフィルターを示す斜視図
【図４】従来のレンジフード用バッフルフィルターを示す斜視図
【図５】同レンジフード用バッフルフィルターを取り付けた状態示す側構成図
【発明を実施するための形態】
【００１１】
本発明の請求項１記載のレンジフード用バッフルフィルターは、レンジフード本体の吸込口の近傍に装着され、二枚の多孔板はそれぞれの開孔を重なり合わないようにして所定間隔隔てて配されるバッフルフィルターであり、上記バッフルフィルターの対面する二辺にフランジを設け、上記レンジフード本体にパンチングフィルターがガタつきなく取り付く上記バッフルフィルターの保持部を設け、上記フランジを上記保持部へ挿入することで上記レンジフード本体へ着脱可能とした、という構成を有する。
【００１２】
これにより、レンジフード本体の保持部にフランジが係合しバッフルフィルターが固定されることとなるので、レンジフード本体の保持部は同じ構造のままで、バッフルフィルターよりも安価に製作可能なパンチングフィルターへ容易に交換することができる、という効果を奏する。
【００１３】
また、バッフルフィルターをレンジフード本体に斜めに取り付け、フランジに油の誘導穴を設け、油の上記誘導穴の下方に油を回収するオイルキャッチを設けた、という構成にしてもよい。
【００１４】
これにより、バッフルフィルターが油を捕集し、重力によってバッフルフィルターの傾斜（斜め）に沿って下方に油が流れ、フランジの誘導穴から油が落ちてオイルキャッチに溜まることとなるので、バッフルフィルターに溜まる油が少なくなりお掃除性を向上させることができる、という効果を奏する。
【００１５】
また、バッフルフィルターを構成している二枚の多孔板の一方に固定用のツマミネジを設け、もう一方に固定用のダルマ穴を設けたことで二枚の上記多孔板同士を固定する、という構成にしてもよい。
【００１６】
これにより、バッフルフィルターの二枚の多孔板を固定する際はダルマ穴の小さい方の穴にツマミネジを引っ掛け、ツマミネジを締めることで両多孔板同士を固定し、両多孔板同士を取り外す際はツマミネジを緩め、ダルマ穴の大きいほうの穴にツマミネジの頭を通して取り外すこととなるので、ツマミネジを完全に取り外すことなく多孔板同士の取り外しが可能となるので、お掃除時間の短縮を図ることができつつ、お掃除性をさらに向上させることができる、という効果を奏する。
【００１７】
以下、本発明の実施の形態について図面を参照しながら説明する。
【００１８】
（実施の形態１）
図１および図２に示すように、バッフルフィルター１はレンジフード本体２の吸込口３の近傍に吸込口３を覆うように装着され、バッフルフィルター１を構成する二枚の金属製の多孔板４には方形の穴である開孔６を２個、そして、多孔板５には方形の穴である開孔７を３個それぞれ設け、重なり合わないようにして所定間隔隔てて配される、つまり、正面から見たとき、開孔６が開孔７の間に位置するということである。
【００１９】
上記の構成により、多孔板４の開孔６を油煙が通過する際に風速が加速され、多孔板５に衝突し油煙に含まれる油や埃が多孔板５の吸込口３側の方向である内側に捕集される。
【００２０】
また、バッフルフィルター１には対面する二辺にフランジ８を設け、レンジフード本体２には、図３に示すようなパンチングフィルター９が、ガタつきなく取り付くバッフルフィルター１のばねの作用を有した保持部１０を設け、フランジ８を保持部１０へ挿入することでレンジフード本体２へ取り付け、フランジ８を保持部１０から引き抜くことでレンジフード本体２から取り外すことができる。
【００２１】
なお、バッフルフィルター１には対面する二辺にフランジ８を設けたが、全周にフランジ８を設ける等、取り付けの自由度を高める構造としてもよい。これにより、レンジフード本体２の保持部１０にフランジ８が係合しバッフルフィルター１が固定されることとなるので、レンジフード本体２の保持部１０は同じ構造のままで、バッフルフィルター１よりも安価に製作可能なパンチングフィルター９へ容易に交換することができる。
【００２２】
つまり、パンチングフィルター９の周囲に相当するフランジ８をバッフルフィルター１の周囲に設けたので、パンチングフィルター９とバッフルフィルター１を容易に交換することができることとなる。
【００２３】
また、バッフルフィルター１を調理者の手前側から奥側に向かうに従い下がるよう斜めに取り付け、レンジフード本体２と係合するフランジ８の一方が下側になるように構成する。
【００２４】
フランジ８には油の誘導穴１１を設け、油の誘導穴１１の下方に油を回収するオイルキャッチ１２を設ける。
【００２５】
これにより、バッフルフィルター１が油を捕集した後、重力によってバッフルフィルター１の傾斜に沿って下方に油が流れ、フランジ８の誘導穴１１から油が落ちてオイルキャッチ１２に溜まることとなるので、バッフルフィルター１の表面に溜まる油が少なくなりお掃除性を向上させることができる。
【００２６】
また、開孔６、７に油が溜まらなくなるので、油の固着による開孔６、７の目詰まりがさらにしにくくなり、油煙の吸い込み性能の低下を防止することができる。
【００２７】
また、バッフルフィルター１を構成している二枚の多孔板４、５の一方に固定用のツマミネジ１３を設け、もう一方に大小２つの穴の一部が重なる形状で構成された固定用のダルマ穴１４を設けたことで二枚の多孔板４，５同士を固定する。
【００２８】
これにより、バッフルフィルター１の二枚の多孔板４、５を固定する際は、ダルマ穴１４の小さい方の穴にツマミネジ１３を引っ掛け、ツマミネジ１３を締めることで多孔板４、５を固定し、また多孔板４，５を取り外す際はツマミネジ１３を緩め、ダルマ穴１４の大きいほうの穴にツマミネジ１３の頭を通して取り外すこととなるので、ツマミネジ１３を完全に取り外すことなく多孔板４、５の取り外しが可能となるので、お掃除時間の短縮を図ることができつつ、お掃除性をさらに向上させることができる。
【産業上の利用可能性】
【００２９】
本発明にかかるレンジフード用バッフルフィルターは、レンジフード本体の保持部は同じ構造のまま、より安価なパンチングフィルターへ交換することを可能とするものであるので、レンジフードに使用されるフィルター等として有用である。
【符号の説明】
【００３０】
１    バッフルフィルター
２    レンジフード本体
３    吸込口
４    多孔板
５    多孔板
６    開孔
７    開孔
８    フランジ
９    パンチングフィルター
１０  保持部
１１  誘導穴
１２  オイルキャッチ
１３  ツマミネジ
１４  ダルマ穴
【図１】
2014163545.tif 000003
【図２】
2014163545.tif 000004
【図３】
2014163545.tif 000005
【図４】
2014163545.tif 000006
【図５】
2014163545.tif 000007